(57)【特許請求の範囲】
【請求項１】
貯蔵室の前面開口を併置した左右扉で観音開き式に閉塞し、前記左右扉の少なくともいずれか一方の反枢支側の内面に縦方向に亙る回転仕切体を設けて扉ガスケットの吸着面とした冷蔵庫において、前記回転仕切体は、少なくとも扉ガスケットの吸着面を形成する仕切板と、前記回転仕切体内部に配設された断熱材と、前記仕切板の周縁部および前記断熱材の外面を覆う仕切枠体と、前記仕切板内面に直線的に前記扉ガスケットと対向する位置に配設された磁性体と、前記仕切板内面を加温する加温手段とを備え、前記磁性体の間に前記加温手段の加温部分を直線的に複数本配置したもので、前記加温手段の加温部分を複数に分割した部位とし、各部位のワット密度を可変とするとともに、前記加温手段の加温部分と接続部分との間には電気的に接続する切替え部位を有し、前記切替え部位と平行となる加温部分の範囲のワット密度を、他の範囲のワット密度よりも大きくしたことを特徴とする冷蔵庫。
【請求項２】
前記加温手段の加温部分と接続部分との間には電気的に接続する切替え部位を有し、前記切替え部位を前記回転仕切体の長手方向の中心に配置したことを特徴とする請求項１に記載の冷蔵庫。
【請求項３】
前記加温手段の加温部分を複数に分割した部位とし、各部位のワット密度を可変とするとともに、前記加温手段は、前記回転仕切体の長手方向で前記切替え部位を中心に対称な発熱分布としたことを特徴とする請求項２に記載の冷蔵庫。
【請求項４】
前記仕切板と前記仕切枠体とを合成樹脂製で形成したことを特徴とする請求項１から３のいずれか一項に記載の冷蔵庫。
【発明の詳細な説明】
【技術分野】
【０００１】
本発明は、本体上部に設けた貯蔵室の前面開口を併置した左右扉で観音開き式に閉塞した冷蔵庫に関する。
【背景技術】
【０００２】
家庭用の大容量冷蔵庫は、多様なユーザニーズに対応すべく冷却貯蔵温度の多様化とともに貯蔵室ごとに多くの扉を設けた冷蔵庫が商品化されており、これまで、冷蔵庫に対して冷凍室を上部に配置したトップフリーザータイプ、上部の冷蔵室と下部の野菜室との間に冷凍室を配置したミドルフリーザータイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
このような商品環境の中で、近年では、使い勝手を考慮して、使用頻度が高く収納容積の最も大きい冷蔵室を観音開き式の扉として最上段に配置し、その下方に製氷室や温度切替室、そしてその下方に野菜室、最下部に冷凍室を設置したタイプが主流になっており、前記冷蔵室の観音開き式扉の一方の開放端側の内面に閉扉時には他方の扉側へ回動する仕切体を取付けてガスケットの吸着面を設けるようにしている。
【０００４】
更に、近年の冷蔵庫における観音開き式の扉では、扉が大型化して縦方向寸法も長くなっており、縦方向に長い仕切体が湾曲することによる外面意匠上の課題を解決するために、回転仕切体の扉ガスケットの吸着面を形成する薄鋼板製の仕切板を、平板状の吸着面とその両側端縁を内方に折り返して重ね合わせ、さらに内方に折曲してアングル部を有する形状とし、仕切板の周縁部および仕切板の庫内側に設けた断熱部材の外面を合成樹脂製の仕切枠体で覆うとともにこの仕切枠体で仕切板を係合保持し、加えて仕切板内面に面ヒーターを貼付けて仕切板表面に発生する結露を防止したものが広く普及している（例えば、特許文献１参照）。
【０００５】
以下、図１５、図１６を用いて、従来の冷蔵庫の回転仕切体の仕様を説明する。
【０００６】
回転仕切体１３の基本構成としては、吸着面を形成する磁性体である薄鋼板製の仕切板１６と断熱層を形成する発泡スチロール製の成形断熱部材１８と、これらを覆って回転仕切体１３の外郭を形成する合成樹脂製の仕切枠体１７と、仕切板１６の内面に配設されたアルミ箔ヒーターなどからなる面ヒーター１９と、回転仕切体１３の上端部に配設され、上端面にガイド溝が形成されたキャップ部材５８とから構成されている。
【０００７】
一般的には、上記の構成では、薄鋼板製の仕切板１６と面ヒーター１９が直接接触しているため、漏電対応として仕切板１６と冷蔵庫１本体を接続するアース線を配設する必要がある。
【０００８】
また、冷蔵庫と回転仕切体１３の嵌合を目的としたキャップ部材５８は、仕切板１６と仕切枠１７のそれぞれの上部終端を覆って連結する役目も果たしている。
【先行技術文献】
【特許文献】
【０００９】
【特許文献１】特開２０１０−２４９４９１号公報
【発明の概要】
【発明が解決しようとする課題】
【００１０】
しかしながら、上記従来の構成では、低温となった冷蔵室の温度影響で冷やされた扉ガスケット１２が、熱伝導率の高い薄鋼板製の仕切板１６に直接接触することで、仕切板１６の大気開放部の表面温度が低下し、必要以上に面ヒーターの容量が大きくなり消費電力量が増加するばかりでなく、ヒーターを接続する電線部分も仕切板１６に配置するので取付スペースが大型化するという課題を有していた。
【００１１】
本発明は、上記の課題を解決するもので、回転仕切体のヒーター等の加温手段への電力入力を低減し、回転仕切体の構成をも簡素化できる冷蔵庫を提供することを目的とする。
【課題を解決するための手段】
【００１２】
上記従来の課題を解決するために、本発明の冷蔵庫は、貯蔵室の前面開口を併置した左
右扉で観音開き式に閉塞し、前記左右扉の少なくともいずれか一方の反枢支側の内面に縦方向に亙る回転仕切体を設けて扉ガスケットの吸着面とした冷蔵庫において、前記回転仕切体は、少なくとも扉ガスケットの吸着面を形成する仕切板と、前記回転仕切体内部に配設された断熱材と、前記仕切板の周縁部および前記断熱材の外面を覆う仕切枠体と、前記仕切板内面に直線的に前記扉ガスケットと対向する位置に配設された磁性体と、前記仕切板内面を加温する加温手段とを備え、前記磁性体の間に前記加温手段の加温部分を直線的に複数本配置したもので、前記加温手段の加温部分を複数に分割した部位とし、各部位のワット密度を可変とするとともに、前記加温手段の加温部分と接続部分との間には電気的に接続する切替え部位を有し、前記切替え部位と平行となる加温部分の範囲のワット密度を、他の範囲のワット密度よりも大きくしたものである。
【００１３】
また、前記仕切板内面に直線的に前記扉ガスケットと対向する位置に配設された磁性体の間に、前記加温手段の加温部分を直線的に複数本配置させたものである。
【００１４】
これにより、回動仕切体の結露を防止するための加温手段への電力入力が抑制され、アース線の廃止ができ、さらに仕切体の内側に磁性体を配設するスペースが確保でき、簡単な構成で低コスト化が図れる。
【発明の効果】
【００１５】
本発明の冷蔵庫は、回転仕切体の構成を簡素化するとともに、結露を防止するための電力入力を最小限に抑制でき、省エネを図ることができる。
【図面の簡単な説明】
【００１６】
【図１】本発明の実施の形態１による冷蔵庫の観音開き式扉の開扉状態を示す正面図
【図２】本発明の実施の形態１による冷蔵室の閉扉状態での要部を示す断面図
【図３】本発明の実施の形態１による冷蔵室の図２のＡ−Ａ断面図
【図４】本発明の実施の形態１による冷蔵室の回転仕切体の分解斜視図
【図５】（ａ）本発明の実施の形態１による冷蔵室の断熱材と加温手段の組立て側面図、（ｂ）図５（ａ）のＢ−Ｂ断面図、（ｃ）図５（ａ）のＣ部拡大図
【図６】本発明の実施の形態１による冷蔵庫の加温手段の通電率と仕切板の表面温度の関係を説明したグラフ
【図７】本発明の実施の形態２による冷蔵庫の加温手段の具体構成図
【図８】本発明の実施の形態２による冷蔵庫のヒーター各部位におけるヒーター発熱量と仕切板表面温度の関係を説明した図
【図９】本発明の実施の形態３による冷蔵室の閉扉状態での要部を示す断面図
【図１０】本発明の実施の形態３による冷蔵室の図９のＤ−Ｄ断面図
【図１１】本発明の実施の形態３による冷蔵室の回転仕切体の分解斜視図
【図１２】本発明の実施の形態３による冷蔵庫の加温手段の具体構成図
【図１３】本発明の実施の形態４による冷蔵室の回転仕切体の分解斜視図
【図１４】本発明の実施の形態４による冷蔵庫の加温手段の具体構成図
【図１５】従来の冷蔵庫の冷蔵室扉の閉扉状態を示す断面図
【図１６】従来の冷蔵庫の回転仕切体の分解斜視図
【発明を実施するための形態】
【００２０】
請求項１に記載の発明は、貯蔵室の前面開口を併置した左右扉で観音開き式に閉塞し、前記左右扉の少なくともいずれか一方の反枢支側の内面に縦方向に亙る回転仕切体を設けて扉ガスケットの吸着面とした冷蔵庫において、前記回転仕切体は、少なくとも扉ガスケットの吸着面を形成する仕切板と、前記回転仕切体内部に配設された断熱材と、前記仕切板の周縁部および前記断熱材の外面を覆う仕切枠体と、前記仕切板内面に直線的に前記扉ガスケットと対向する位置に配設された磁性体と、前記仕切板内面を加温する加温手段とを備え、前記磁性体の間に前記加温手段の加温部分を直線的に複数本配置したもので、前記加温手段の加温部分を複数に分割した部位とし、各部位のワット密度を可変とするとともに、前記加温手段の加温部分と接続部分との間には電気的に接続する切替え部位を有し、前記切替え部位と平行となる加温部分の範囲のワット密度を、他の範囲のワット密度よりも大きくしたことにより、前記加温手段を前記仕切板の上下全長の狭スペースに配置する構成が可能になり、前記回転仕切体の仕切板表面温度が均一化されるので、前記回転仕切体の仕切板表面の結露を最小限の電力入力で防止することができる。
【００２２】
請求項２に記載の発明は、請求項１に記載の発明において、前記加温手段の加温部分と接続部分との間には電気的に接続する切替え部位を有し、前記切替え部位を前記回転仕切体の長手方向の中心に配置したことにより、前記回転仕切体の組立作業で前記加温手段を挿入する際の取付方向の制約がなくなり、品質向上を図ることができる。
【００２３】
請求項３に記載の発明は、請求項２に記載の発明において、前記加温手段の加温部分を複数に分割した部位とし、各部位のワット密度を可変とするとともに、前記加温手段は、前記回転仕切体の長手方向で前記切替え部位を中心に対称な発熱分布としたことにより、仕切板表面温度の均一化と組立品質の向上を図ることができる。
【００２４】
請求項４に記載の発明は、請求項１から３のいずれか一項に記載の発明において、前記仕切板と前記仕切枠体とを合成樹脂製で形成したことにより、庫内と庫外の熱移動が低減でき、さらに前記回転仕切体の仕切板表面の結露を最小限の電力入力で防止することができる。
【００２５】
以下、本発明の実施の形態について、図面を参照しながら説明する。なお、この実施の形態によってこの発明が限定されるものではない。
【００２６】
（実施の形態１）
図１は本発明の実施の形態１による冷蔵庫の観音開き式扉の開扉状態を示す正面図、図２は同実施の形態１による冷蔵室の閉扉状態での要部を示す断面図、図３は同実施の形態１による図２のＡ−Ａ断面図、図４は同実施の形態１による冷蔵室の回転仕切体の分解斜視図、図５（ａ）は同実施の形態１による冷蔵室の断熱材と加温手段の組立て側面図、（ｂ）は図（ａ）のＢ−Ｂ断面図、（ｃ）は図（ａ）のＣ部拡大図、図６は同実施の形態１による冷蔵庫の加温手段の通電率と仕切板の表面温度の関係を説明したグラフである。
【００２７】
図１において、冷蔵庫１００は向かって左側に位置する左側扉１０２及び向かって右側に位置する右側扉１０３を有し、図１では左側扉１０２と右側扉１０３を開扉させた状態を示している。左側扉１０２と右側扉１０３とが設けられている部分は冷蔵貯蔵室１０５の部分であり、左側扉１０２の下は製氷室１０６、さらに下は冷凍貯蔵室１０７、野菜室１０８とされている。右側扉１０３の下、製氷室１０６の右隣には切替室１０９が設けられている。
【００２８】
左側扉１０２と右側扉１０３はそれぞれヒンジ部により枢支されて左側と右側に開くように構成されており、左側扉１０２の非枢支側には回転仕切体２００を設けている。この回転仕切体２００は、左側扉１０２の開閉動作に応じて回転し、閉扉された状態では、左側扉１０２、右側扉１０３の非枢支側を扉ガスケット１１０を介して閉塞して、冷蔵貯蔵室１０５内からの冷気漏れを防止している。
【００２９】
ここで、各貯蔵室間には断熱仕切部材（図示せず）が配置されており、この断熱仕切部材の前面には、鋼板製のカバー５０１、５０２、５０３が配設され、各貯蔵室扉の扉ガスケットを介して閉塞し、各貯蔵室からの冷気漏れを防止している。
【００３０】
次に、図２から図５において、回転仕切体２００は、扉ガスケット１１０の吸着面１１１を形成する仕切板２１０と、回転仕切体２００内部に配設された発泡スチロール製の断熱材２２０と、仕切板２１０の周縁部および断熱材２２０の外面を覆う合成樹脂製の仕切枠体２３０と、仕切板２１０内面中央に配設された加温部分２４１と接続部分２４２で構成される加温手段２４０とから構成されている。また断熱材２２０と仕切枠体２３０の間には、熱膨張係数の小さな例えば金属プレートの補強板２５０が、冷蔵庫の高さ方向に対して回転仕切体２００の略全高域に配置される。
【００３１】
ここで、仕切板２１０は、合成樹脂製であり、内面には２つの磁性体２１１が取り付けられている。磁性体２１１は、冷蔵庫の高さ方向に対して回転仕切体２００の略全高域に構成されており、左側扉１０２、右側扉１０３が閉扉した状態において、扉ガスケット１１０内に構成された磁性体１１２と対向するように配置されており、本実施例では直方体のプラスチックマグネットを使用した。更に、加温手段２４０の加温部分２４１及び磁性体２１１は、仕切板２１０と断熱材２２０の間で圧接して保持されている。また、加温手段２４０の加温部分２４１は線状ヒーター等の直線状なもので、磁性体２１１の間に磁性体２１１と並行して配置される。また加温手段２４０の接続部分２４２は発熱しない抵抗値の小さな電線であり、加温部分２４１とは逆面側で断熱材２２０と仕切枠体２３０で圧接保持されている。
【００３２】
次に、回転仕切体２００の全体構成を図４の斜視図、加温手段２４０の配置を図５の組立て図を用いてもう少し詳細に説明する。回転仕切体２００は、扉ガスケット１１０の吸着面１１１を形成する合成樹脂製の仕切板２１０と、回転仕切体２００内部に配設された発泡スチロール製の断熱材２２０と、金属製プレートの補強板２５０と、仕切板２１０の周縁部および断熱材２２０の外面を覆う合成樹脂製の仕切枠体２３０と、断熱材２２０の仕切板２１０側に加温部分２４１を、補強板２５０側に接続部分２４２が配置された加温手段２４０で構成される。また、仕切板２１０内面中央に配設された加温部分２４１と、仕切板２１０の内面には加温部分２４１を挟む形で２つの磁性体２１１が取り付けられている。尚、加温手段２４０は組立てられた断熱材２２０の最下部で、加温部分２４１（ヒーター）と接続部分２４２（電線）に区切られている。
【００３３】
以上のように構成された冷蔵庫について、以下その動作、作用について説明する。
【００３４】
まず、従来の構成では、低温となった冷蔵室３の温度影響で冷やされた扉ガスケット１１，１２が、熱伝導率の高い薄鋼板製の仕切板１６に直接接触することで、必要以上に仕切板１６の大気開放部の表面温度が低下し、これを補って露点温度以上にするために、面ヒーター１９の容量を大きくする必要があったのに対して、本実施の形態１の場合、回転仕切体２００の扉ガスケット１１０の吸着面１１１を形成する仕切板２１０を合成樹脂製としている。
【００３５】
このことで図６の加温手段の通電率と仕切板の表面温度の関係のグラフが示す様に、同一の通電率の条件では、本実施例の場合の仕切板２１０の表面温度は、従来の仕切板１６の表面温度に対して約３Ｋ高く、また、外気条件が３０℃、７５％のときの露点温度を維持するための通電率は、約１０％低減できることがわかる。これは、扉ガスケット１１０が接触する仕切板２１０を熱伝導率の小さな合成樹脂にしたことで、仕切板２１０の大気開放部２１２の温度の低下が抑制されたことによる。
【００３６】
加えて、扉ガスケット１１０内に構成された磁性体１１２と対向するように、磁性体２１１を配置することで、扉ガスケット１１０との吸着という、回転仕切体２００の基本機能を確保することができる。
【００３７】
また、仕切板２１０と仕切枠体２３０を合成樹脂製とした場合、熱膨張の影響で例えば庫内温度が低いと仕切枠体２３０は縮み、庫外温度が高いと仕切板２１０は伸びる方向となる。従ってこの伸縮差により回転仕切体２００は長手側に反る力が働くが、金属製の補強板２５０が回転仕切体２００の略全高域に挿入されているので、反りの影響を排除することができる。
【００３８】
以上のように、本実施の形態においては、冷蔵貯蔵室１０５の左右扉の少なくともいずれか一方（ここでは左側扉１０２）の反枢支側の内面に、縦方向に亙る回転仕切体２００を設けて扉ガスケット１１０の吸着面１１１を合成樹脂性の仕切板２１０とし、仕切板２１０内側に磁性体２１１を扉ガスケット１１０内蔵の磁性体１１２と対向する位置に配置し、その磁性体２１１の間に加温手段２４０の加温部分２４１を直線的に並行に配置し、仕切板２１０周縁部および断熱材２２０の外面を合成樹脂製の仕切枠体２３０で覆うことにより、仕切板２１０の表面温度を従来の薄鋼板製よりも高く維持でき、結露防止のための加温手段２４０の電力入力が少なくなるので、冷蔵庫１００の消費電力を削減することができる。
【００３９】
また、加温手段２４０の接続部分２４２を断熱材２２０を介して、加温部分２４１と逆面に配置するので、加温部分２４１が直線状に配置され、仕切板２１０内面に配置する磁性体２１１の取り付けスペースが確保でき、扉ガスケット１１０内面の磁性体１１２と精
度良く対向されるので、回転仕切体２００と扉ガスケット１１０との吸着状態の信頼性が確保できる。
【００４０】
さらに、加温手段２４０は合成樹脂製の仕切板２１０の内面に配設され、人が触れる部分が合成樹脂のため漏電対応の必要がなく、アース線の廃止で低コスト化を図ることができる。
【００４１】
また、断熱材２２０と仕切枠体２３０の間に略全高域に金属製の補強板２５０を挿入するので、合成樹脂製の仕切板２１０と仕切枠体２３０の熱膨張差による回転仕切体２００の反りが防止でき、外部からの熱侵入を抑えた高信頼性の扉密閉が確保できる。
【００４２】
（実施の形態２）
図７は本発明の実施の形態２による冷蔵庫の加温手段の具体構成図、図８は同実施の形態２による冷蔵庫のヒーター各部位におけるヒーター発熱量と仕切板表面温度の関係を説明した図である。なお、実施の形態１と同一構成については同一符号を付して、異なる部分について説明する。
【００４３】
図７において、加温手段２４０は図中一点鎖線右側に長さＬを持つ直線状のヒーターの加温部分２４１、左側に発熱しない電線等の接続部分２４２で構成される。加温部分２４１は実施の形態１の図４に示す様に、回転仕切体２００の略全高域とほぼ同じ長さで、合成樹脂製の仕切板２１０の中央に配置される。加温部分２４１はその発熱量すなわちワット密度が可変であり、図７では部位ａ、ｂ、ｃと３区分を可変としている。尚、加温部分２４１のヒーターを可変にする具体的な手段としては、線状巻線抵抗線の巻きピッチを変えて抵抗値を可変したり、印刷抵抗の抵抗ペースト成分を可変してシート抵抗としたり、抵抗値の異なる発熱抵抗線を直列接続すれば可能である。また、本実施の形態では部位を３区分としたが、目的に応じて複数区分とすれば良い。
【００４４】
以上のように構成された冷蔵庫について、以下その動作、作用について図８を用いて説明する。
【００４５】
まず、ヒーターに通電がない場合、仕切板２１０の表面温度は点線で示す様に、中央部（部位ｂ）では低く、両端に向かうほど温度は高くなる（部位ａ、ｃ）。これは冷蔵貯蔵室１０５と扉ガスケット１１０の密閉性や熱伝導、あるいは冷蔵貯蔵室１０５内の冷気循環影響により温度分布の不均一が発生してしまうからである。次に、ヒーターを通電する場合、仕切板２１０の表面温度が結露領域にあるので、ヒーターを通電して各部位を結露境界線以上の温度に昇温させる必要がある。
【００４６】
この時、従来の様な一点鎖線で示す発熱量一定のヒーターでは、各部位の温度上昇が一定のため、最も温度の低い部位ｂに発熱量を合わせる必要があり、部位ａ、ｃに対しては一点鎖線の様に不必要な温度上昇が発生してしまう。
【００４７】
一方、本実施の形態では図７に示す様に、ヒーターの発熱量を部位により可変にしている。すなわち実線で示す様に、部位ｂは発熱量を大きくし、部位ａ、ｃでは小さくする。こうすることで、ヒーター通電なしの仕切板２１０の表面温度（点線）は、露点境界線を必要最小限越えた均一な表面温度（実線）にすることができる。これをヒーターの発熱量で従来と比較すると、斜線で囲った領域分の発熱量が不要で、その分消費電力量が削減できる。
【００４８】
以上のように、本実施の形態においては、加温手段２４０の加温部分２４１を複数に分割した部位とし、各部位のワット密度を可変としたことにより、冷蔵庫１００の回転仕切
体２００の形状変更等による断熱性能差に対しても、仕切板２１０の表面温度が均一化されるので、温度分布ばらつきがなくなり不必要な電力入力が削減できる。
【００４９】
（実施の形態３）
図９は本発明の実施の形態３による冷蔵室の閉扉状態での要部を示す断面図、図１０は同実施の形態３による図９のＤ−Ｄ断面図、図１１は同実施の形態３による冷蔵室の回転仕切体の分解斜視図、図１２は同実施の形態３による冷蔵庫の加温手段の具体構成図である。なお、実施の形態１および２と同一構成については同一符号を付して、異なる部分について説明する。
【００５０】
図９から図１２において、加温手段２４０の加温部分２４１は、仕切板２１０に直線的に配置された２本の磁性体２１１の間に配置され、２本（往復）の加温部分２４１は並行して磁性体２１１と接触しないように断熱材２２０で圧接保持されている。尚、本実施の形態では磁性体２１１の間に配置する加温部分２４１を２本としたが、スペースが確保できれば更に本数を増やしてもよい。
【００５１】
また、加温手段２４０にはヒーターの加温部分２４１と電線の接続部分２４２を電気的に接続する切替え部分２４３が部位ａの範囲にある。切替え部分２４３には防水性が要求され、樹脂モールドやチューブ封止するのが一般的で、加温部分２４１の線形より太くなる。そのためその横を並走する加温部分２４１の本数は、他の部位ｂ、ｃと比べ少ない本数となる。
【００５２】
以上のように構成された冷蔵庫について、以下その動作、作用について説明する。
【００５３】
先に実施の形態１および２で説明した様に、図８に示す仕切板２１０の表面温度を全長Ｌにおいて一定にするように、加温部分２４１のヒーターのワット密度を同様に可変させる。本実施の形態では複数本の加温部分２４１が配置されているので、実施の形態１および２よりもさらに低入力で所望の温度上昇を得ることができる。
【００５４】
しかしながら、部位ａには切替え部位２４３ａ、２４３ｂがあり部位ｃよりも加温部分２４１の本数が少なくなり、部位ｃと同じワット密度のヒーターでは加温不足となる。そこで部位ａのヒーター線は１本に対し部位ｃは２本であるため、部位ａのワット密度を部位ｃの約２倍にすれば同等の温度上昇を得ることができる。
【００５５】
尚、本実施の形態では部位ａに関してワット密度を上げることとしたが、加温部分２４１のヒーター本数が他の部位に対して少ない任意の部位に対して行えば良い。
【００５６】
以上のように、本実施の形態においては、仕切板２１０内側の磁性体２１１の間に加温手段２４０の加温部分２４１を複数本直線的に配置するので、狭スペースでの配置が可能で、かつ加温部分２４１のヒーターの単位長さ当たりのワット密度を小さく、あるいは通電率を下げることが可能で、結露防止のための入力電力を低減できる。さらに断熱材２２０の片側面だけで加温手段２４０を構成するので、配線作業も簡素化でき工数削減を図ることができる。
【００５７】
また、加温手段２４０の加温部分２４１を複数に分割した部位として各部位のワット密度を可変とし、切替え部位２４３ａ、２４３ｂと平行となる加温部分２４１の範囲のワット密度を、他の範囲のワット密度よりも大きくしたことにより、切替え部位２４３ａ、２４３ｂ付近の加温部分２４１の本数減による温度上昇不足分を補え、回転仕切体２００の仕切板２１０の表面温度が均一化され、温度分布ばらつきがなくなりさらに電力入力が低減できる。
【００５８】
（実施の形態４）
図１３は本発明の実施の形態４による冷蔵室の回転仕切体の分解斜視図、図１４は同実施の形態４による冷蔵庫の加温手段の具体構成図である。なお、実施の形態１から３と同一構成については同一符号を付して、異なる部分について説明する。
【００５９】
図１３および１４において、加温手段２４０の接続部分（電線）２４２と加温部分（ヒーター）２４１を電気的に接続する切替え部位２４３ａおよび２４３ｂは、回転仕切体２００の長手方向の中心に近接して配置される。一方の切替え部位２４３ａの接続部分２４２側にはワット密度Ｗ１で長さＬ１の部位ｄが接続され、他方の切替え部位２４３ｂには同じワット密度Ｗ１と長さＬ１の部位ｊが接続される。さらに、部位ｄにはワット密度Ｗ２で長さＬ２の部位ｅと、ワット密度Ｗ３で長さＬ３の部位ｆが順につながる。また、部位ｊの方にはワット密度Ｗ２で長さＬ２の部位ｉと、ワット密度Ｗ３で長さＬ３の部位ｈが順につながり、最終的にワット密度Ｗ４で長さＬ４の部位ｇが、部位ｆと部位ｈに接続され可変ワット密度の閉ループのヒーターを構成する。尚、本実施の形態では発熱部位を部位ｄからｊの７か所としたが、切替え部位２４３ａ、２４３ｂを中心としてワット密度と長さが対称となる任意の部位数にすればよい。
【００６０】
また、切替え部位２４３ａ、２４３ｂの横を並走する加温部分２４１の部位ｇは、他の部位より本数が少ないため、ワット密度を大きくすればよい。すなわち、Ｗ４＞（Ｗ１〜Ｗ３）の関係になることが一般的である。
【００６１】
以上のように構成された冷蔵庫について、以下その動作、作用について説明する。
【００６２】
加温手段２４０が通電されると、加温部分２４１の各部位ｄからｊが発熱し、仕切板２１０の表面を全長Ｌにおいて所望の温度に安定させる。この時、何らかの作業ミスが発生し切替え部位２４３ａと２４３ｂが逆設置、すなわち加温部分２４１の正しい発熱部位の順ｄ→ｅ→ｆ→ｇ→ｈ→ｉ→ｊが、間違ってｊ→ｉ→ｈ→ｇ→ｆ→ｅ→ｄの順になってしまった場合、もし各部位ｄからｊのワット密度と長さが異なっていれば、逆設置されると、仕切板２１０の表面温度は大きくばらつき、偏った温度分布となってしまう。
【００６３】
しかし、本実施の形態では切替え部位２４３ａと２４３ｂが逆設置されたとしても、加温部分２４１の全長Ｌにおけるワット密度と長さの関係は、上下対称なため正規取付と全く変わらない。
【００６４】
以上のように、本実施の形態においては、一方の切替え部位２４３ａに接続される加温部分の部位ｄのワット密度と長さが、他方の切替え部位２４３ｂに接続される加温部分の部位ｊと同一で、更にワット密度を可変としてそれぞれへ順に接続される加温部分の部位ｅおよび部位ｉも同様にワット密度と長さを同一とし、すなわち切替え部位２４３ａ、ｂを中心に対称な発熱分布とした加温手段２４０において、切替え部位２４３ａ、２４３ｂを回転仕切体２００の長手方向の中心に配置したので、回転仕切体２００の組立作業で加温手段２４０を装着する時に、切替え部位２４３ａと２４３ｂを逆にして固定した場合でも、加温部分２４１の可変としたワット密度と長さの関係は上下対称となり、その回転仕切体２００の仕切板２１０の表面温度も同じになる。よって、作業工程での組立不良がなくせるばかりでなく、加温手段２４０の向きを確認して装着する工数も大幅に短縮することができる。
【産業上の利用可能性】
【００６５】
以上のように、本発明にかかる冷蔵庫は、回転仕切体と扉ガスケットの吸着面である仕切板を樹脂製としたものであり、結露を防止しつつ消費電力が削減できるので、業務用冷
蔵庫等にも適用できる。また、樹脂製のフランジ内面に磁性体を配設して、扉ガスケットとの吸着を行う方法は、冷蔵庫の各貯蔵室を仕切る断熱仕切部材の前面のカバーにも応用できる。
【符号の説明】
【００６６】
１００  冷蔵庫
１０２  左側扉
１０３  右側扉
１０５  冷蔵貯蔵室
１０６  製氷室
１０７  冷凍貯蔵室
１０８  野菜室
１０９  切替室
１１０  扉ガスケット
１１１  吸着面
１１２  磁性体
２００  回転仕切体
２１０  仕切板
２１１  磁性体
２１２  大気開放部
２２０  断熱材
２３０  仕切枠体
２４０  加温手段
２４１  加温部分（ヒーター）
２４２  接続部分（電線）
２４３ａ、２４３ｂ  切替え部位
２５０  補強板
５０１、５０２、５０３  カバー
【図１】
0005961822.tif 000002
【図２】
0005961822.tif 000003
【図３】
0005961822.tif 000004
【図４】
0005961822.tif 000005
【図５】
0005961822.tif 000006
【図６】
0005961822.tif 000007
【図７】
0005961822.tif 000008
【図８】
0005961822.tif 000009
【図９】
0005961822.tif 000010
【図１０】
0005961822.tif 000011
【図１１】
0005961822.tif 000012
【図１２】
0005961822.tif 000013
【図１３】
0005961822.tif 000014
【図１４】
0005961822.tif 000015
【図１５】
0005961822.tif 000016
【図１６】
0005961822.tif 000017